(57)【要約】【課題】ケース内に収納しても蓋の閉りを阻害せず、蓋をスムーズに閉じたり作業現場の広狭に対応できる。【解決手段】電動工具ｄのモーター部１の外周２に嵌挿係止する折曲状係止部３を一端部に形成し、その端部を延設する並列状の上方脚部４と下方脚部５とを有し、上方脚部４と下方脚部５の開閉を調節する締付け部６とでなる係止体ａと、折曲状の引掛け部８を有しそれを延設して上方スライド脚部９と下方スライド脚部１０を形成し、スライド脚部９、１０の先端部にストッパー１１、１１を形成するスライド体ｂと、モーター部外周２を挿入し締付けるホースバンド１２と、上方脚部４と下方脚部５との一端部１３、１４を挿入するネジ１９付き上方脚挿入部１５とネジ１９付き下方脚挿入部１６と、上方スライド脚部９と下方スライド脚部１０の一端がスライド自在な上方挿入部１７と下方挿入部１８とを一体に接着する後方接続体ｃとでなる。【選択図】      図４
2010110831.tif 000002
【特許請求の範囲】
【請求項１】
電動工具のモーター部の外周に嵌挿し且係止する折曲状係止部を一端部に形成し、前記折曲状係止部の夫々の端部を延設する並列状の上方脚部と下方脚部とを有し、且前記上方脚部と下方脚部の開閉を調節する締付け部とからなる係止体と、折曲状の引掛け部を有し、且前記引掛け部を延設して上方スライド脚部と下方スライド脚部を形成すると共に、前記両スライド脚部の先端部にストッパーを形成せしめるスライド体と、前記モーター部の外周を挿入し締付けるホースバンドと、前記係止体の上方脚部と下方脚部との一端部を挿入するネジ付き上方脚挿入部とネジ付き下方脚挿入部と、前記スライド体の上方スライド脚部と下方スライド脚部の一端部がスライド自在な上方挿入部と下方挿入部とを一体に接着せしめる後方接続体とからなることを特徴とする電動工具用吊り下げ具。
【請求項２】
前記スライド体の引掛け部は、湾曲状に形成することを特徴とする請求項１に記載の電動工具用吊り下げ具。
【請求項３】
前記係止体の係止部は、前記上方脚部と下方脚部に対し、直角状に折曲して形成されていることを特徴とする請求項１又は同２に記載の電動工具用吊り下げ具。
【請求項４】
前記締付け部は、前記上方脚部と前記下方脚部の前方部に夫々孔付き接続片を取着せしめ、且前記接続片にボルトを挿通し、一方の接続片から飛出するボルトの端部にナットを螺着せしめることを特徴とする請求項１又は同２又は同３に記載の電動工具用吊り下げ具。
【請求項５】
前記係止部は、所定の部位にてカットされ、且カットによって形成の一方の係止端部と他方の係止端部を弾力性を有するバネ体の左端部と右端部に夫々嵌挿せしめることを特徴とする請求項１又は同２又は同３又は同４に記載の電動工具用吊り下げ具。
【発明の詳細な説明】
【技術分野】
【０００１】
本発明は、長さや大きさの異なる電動工具に取り付けて、作業者のベルトに吊り下げられる電動工具用吊り下げ具の技術分野に関するものである。
【背景技術】
【０００２】
従来、電動工具用吊り下げ具としては、電動工具のモーター部の側面に当接可能なサイド体が、当該サイド体の先端部で略直角に折曲されたリング状の先端係止部と、前記サイド体の後方で軸方向にスライド移動して長さ調節自在に取り付けられているスライド部材を備え、前記スライド部材の後方内部は、作業ベルトに吊り下げ自在な吊り下げ空所に形成されており、電動工具のモーター部の先端軸部に前記サイド体の先端係止部が係止され、前記モーター部の後端部より更に後方に前記スライド部材の吊り下げ空所が配置される位置で、スライド部材がサイド体に対し固定状態に構成されている電動工具用吊り下げ具が提案されている（例えば、下記特許文献１参照）。
【特許文献１】登録実用新案第３１３４８０８号公報
【発明の開示】
【発明が解決しようとする課題】
【０００３】
しかしながら、前記従来の構成では、吊り下げ具のスライド部材がサイド体に対し位置が決められて固定しスライドしない構成のため、ケース内に収納しても蓋がしまりにくいという課題を有していた。
【０００４】
また、前記従来の構成では、吊り下げ具をケース内に収納しても、スライド部材がスライドしない構成のため、ケース内に収納しても、他の作業工具類の収納を邪魔しケースの収納率を悪化するという課題を有していた。
【０００５】
さらに、前記従来の構成では、作業現場が極めて狭く飛出しているスライド部材が引掛るのでスライドさせて長さを縮少しようとしても、スライド部材がスライドしない構成のため、作業がしにくいという課題を有していた。
【０００６】
また、前記従来の構成は、電動工具のモーター部に係止部を嵌め込んでも係止部の径が限定した構成のため、径の異なる工具メーカーの製品に対応できないという課題を有していた。
【０００７】
本発明は、前記従来の課題を解決するもので、ケース内に収納しても蓋の閉りを阻害することなく、蓋をスムーズに閉じたり、また作業現場の広狭に対応せしめ作業をスムーズに行うことができる電動工具用吊り下げ具を提供することを目的とする。
【０００８】
さらに、本発明は、メーカーサイドによって径が異なる電動工具のモーター部でも、伸縮自在に大きさを調節して嵌挿することができる電動工具用吊り下げ具を提供することを目的とする。
【課題を解決するための手段】
【０００９】
課題を解決するための手段として、請求項１記載の発明は、電動工具ｄのモーター部１の外周２に嵌挿し且係止する折曲状係止部３を一端部に形成し、前記折曲状係止部３の夫々の端部を延設する並列状の上方脚部４と下方脚部５とを有し、且前記上方脚部４と下方脚部５の開閉を調節する締付け部６とからなる係止体ａと、折曲状の引掛け部８を有し、且前記引掛け部８を延設して上方スライド脚部９と下方スライド脚部１０を形成すると共に、前記両スライド脚部９、１０の先端部にストッパー１１、１１を形成せしめるスライド体ｂと、前記モーター部１の外周２を挿入し締付けるホースバンド１２と、前記係止体ａの上方脚部４と下方脚部５との一端部１３、１４を挿入するネジ１９付き上方脚挿入部１５とネジ１９付き下方脚挿入部１６と、前記スライド体ｂの上方スライド脚部９と下方スライド脚部１０の一端部がスライド自在な上方挿入部１７と下方挿入部１８とを一体に接着せしめる後方接続体ｃとからなる電動工具用吊り下げ具である。
【００１０】
課題を解決するための手段として、請求項２記載の発明は、前記スライド体ｂの引掛け部８は、湾曲状に形成する電動工具用吊り下げ具である。
【００１１】
課題を解決するための手段として、請求項３記載の発明は、前記係止体ａの係止部３は、前記上方脚部４と下方脚部５に対し、直角状に折曲して形成されている電動工具用吊り下げ具である。
【００１２】
課題を解決するための手段として、請求項４記載の発明は、前記締付け部６は、前記上方脚部４と前記下方脚部５の前方部に夫々孔付き接続片２０、２０を取着せしめ、且前記接続片２０、２０にボルト２１を挿通し、一方の接続片２０から飛出するボルト２１の端部にナット２２を螺着せしめる電動工具用吊り下げ具である。
【００１３】
課題を解決するための手段として、請求項５記載の発明は、前記係止部３は、所定の部位にてカットされ、且カットによって形成の一方の係止端部３１と他方の係止端部３２を弾力性を有するバネ体ｅの左端部４０と右端部４１に夫々嵌挿せしめる電動工具用吊り下げ具である。
【発明の効果】
【００１４】
請求項１記載の発明は、電動工具のモーター部の外周に嵌挿し且係止する折曲状係止部を一端部に形成し、前記折曲状係止部の夫々の端部を延設する並列状の上方脚部と下方脚部とを有し、且前記上方脚部と下方脚部の開閉を調節する締付け部とからなる係止体と、折曲状の引掛け部を有し、且前記引掛け部を延設して上方スライド脚部と下方スライド脚部を形成すると共に、前記両スライド脚部の先端部にストッパーを形成せしめるスライド体と、前記モーター部の外周を挿入し締付けるホースバンドと、前記係止体の上方脚部と下方脚部との一端部を挿入するネジ付き上方脚挿入部とネジ付き下方脚挿入部と、前記スライド体の上方スライド脚部と下方スライド脚部の一端部がスライド自在な上方挿入部と下方挿入部とを一体に接着せしめる後方接続体とからなる電動工具用吊り下げ具なので、ケース内の収納時において前記スライド体をスライドして縮少し、蓋閉じがスムーズにできる利点がある。
【００１５】
さらに、本発明は、前記スライド体が伸縮自在にスライドができるので、作業現場の現況に応じてスムーズに作業をすることができると共に、作業能率を著しくアップせしめる利点を有している。
【００１６】
請求項２記載の発明は、前記スライド体の引掛け部は、湾曲状に形成する電動工具用吊り下げ具なので、前記請求項１記載の発明の効果と同じ効果を有している。
【００１７】
請求項３記載の発明は、前記係止体の係止部は、前記上方脚部と下方脚部に対し、直角状に折曲して形成されている電動工具用吊り下げ具なので、前記請求項１又は同２記載の発明の効果と同じ効果を有している。
【００１８】
請求項４記載の発明は、前記締付け部は、前記上方脚部と前記下方脚部の前方部に夫々孔付き接続片を取着せしめ、且前記接続片にボルトを挿通し、一方の接続片から飛出するボルトの端部にナットを螺着せしめる電動工具用吊り下げ具なので、前記請求項１又は同２又は同３記載の発明の効果と同じ効果を有している。
【００１９】
請求項５記載の発明は、前記係止部は、所定の部位にてカットされ、且カットによって形成の一方の係止端部と他方の係止端部とを弾力性を有するバネ体の左端部と右端部に夫々嵌挿せしめる電動工具用吊り下げ具なので、メーカーによって形状が異なる電動工具であっても、十分対応できる利点を有している。
【００２０】
さらに本発明の吊り具は、前記請求項１又は同２又は同３又は同４記載の発明の効果と同じ効果を有している。
【発明を実施するための最良の形態】
【００２１】
本発明の請求項１〜５記載の発明に関する実施の形態は共通しているので、以下のとおり一括して説明する。
【００２２】
本発明の電動工具用吊り下げ具は、係止体ａとスライド体ｂと後方接続体ｃの３つの構成部材をもって構成されている。
【００２３】
先ず第１に前記係止体ａの実施の形態について説明する。
【００２４】
前記係止体ａは、通常線材を折曲し形成するが限定しない。この係止体ａは、所定の間隔を開けて形成の上方脚部４と下方脚部５とを平行状に形成する。そして前記上下方脚部４、５の一端部を通常直角状に折曲して、電動工具ｄのモーター部１の外周２に嵌挿し且係止する折曲状係止部３を形成する。
【００２５】
そして、前記係止部３の折曲基部の上下方脚部４、５に前記係止部３がモーター部１の外周２に嵌挿し引掛け固定するための締付け部６を設ける。
【００２６】
前記締付け部６の実施の形態を説明すると以下のとおりである。
【００２７】
前記締付け部６は、前記上方脚部４と前記下方脚部５の前方部に夫々孔付き接続片２０、２０を取着せしめ、且接続片２０、２０にボルト２１を挿通し、一方の接続片２０から飛出するボルト２１の端部にナット２２を螺着せしめる構成である。
【００２８】
前記ナット２２を正回転すれば、前記係止部３がモーター部１の外周２に締付ける。他方ナット２２を逆回転すれば前記係止部３が緩められる。
【００２９】
さらに、前記係止部３は、所定の部位にてカットし、カットによって形成された一方の係止端部３１と他方の係止端部３２を弾力性を有するバネ体ｅの左端部４０と右端部４１に夫々嵌挿せしめることができる。
【００３０】
前記バネ体ｅの両端部４０、４１に嵌挿する係止部３の係止端部３１、３２は、前記電動工具ｄのモーター部１の大きさに即応して前記バネ体ｅの両端部４０、４１の距離が長くなったり、短くなったりする。従ってメーカー毎に前記電動工具ｄのモーター部１が異なっていても、前記バネ体ｅによって十分対応できる。
【００３１】
つぎにスライド体ｂの実施の形態につき説明すると以下のとおりである。
【００３２】
このスライド体ｂは、後述する後方接続体ｃと接続する機構である。
【００３３】
前記スライド体ｂは、折曲状の引掛け部８を有し、且前記引掛け部８を延設して上方スライド脚部９と下方スライド脚部１０を形成する。
【００３４】
さらに、前記両スライド脚部９、１０の先端部には、夫々ストッパー１１、１１を形成せしめる。
【００３５】
そして前記両スライド脚部９、１０とストッパー１１、１１との関係は、図３、４、５に図示されているとおり、スライド体ｂの引掛け部８を前記係止体ａの係止部３の方向に押し込むと、モーター部１の一端部の方向に比例して縮小する。
【００３６】
他方前記引掛け部８を引張ると図１等の位置から飛出し、前記ストッパー１１、１１が後述する後方接続体ｃに引掛りストップする。
【００３７】
従って、前記スライド体ｂはスライド脚部９、１０の長さ分だけ伸縮する。
【００３８】
つぎに後方接続体ｃの実施の形態につき説明すると以下のとおりである。
【００３９】
１２は後方接続体ｃを構成する前記モーター部１の外周２を挿入し締付けるホースバンドである。そしてこのホースバンド１２と一体として接続し且前記ホースバンド１２に対し、直角状に前記係止体ａの上方脚部４と下方脚部５との一端部１３、１４を挿入するネジ１９付き上方脚挿入部１５とネジ１９付き下方脚挿入部１６とを図２、３等のように取着する。そして前記上方脚部１５と下方脚部１６とが平行状に取着される。
【００４０】
前記ネジ１９、１９は、前記上方脚部４と下方脚部５の端部１３、１４が前記脚部４、５が所定の長さ挿入した後、締付けて前記両脚部４、５が抜け出さないようにする。
【００４１】
さらに前記ホースバンド１２に対し、直角状にして、且前記上方脚挿入部１５と下方脚挿入部１６の外側方にして、且平行状にして、取着せしめた前記スライド体ｂの上方スライド脚部９と下方スライド脚部１０の一端部がスライド自在な上方挿入部１７と下方挿入部１８とを前記ホースバンド１２と前記上方脚挿入部１５と下方脚挿入部１６と一体に取着する（図２、３、４、５、６、７）。
【００４２】
２０は前記ホースバンド１２を締付けるネジである。
【００４３】
２１は作業ベルト２２に接続する接続リングである。
【００４４】
本発明は、図１のように引掛け部８と前記接続リング２１が接続される。
【００４５】
前記の構成からなる本発明の吊り下げ具は、図１、２、３に図示されるように、電動工具ｄのモーター部１の外周２の一端部の所定個所まで係止体ａの係止部３をスライドしながら嵌挿し、且前記モーター部１の外周２の他端部の部位に前記ホースバンド１２を嵌挿する。そして前記上方脚挿入部１５と下方脚挿入部１６に脚部４、５の端部１３、１４を挿入し位置が確定したらネジ１９、１９、２０を夫々締付ける。
【００４６】
前記係止部３を構成するバネ体ｅの形状は、図面図示のように限定しない。
【００４７】
上記の構成からなる本発明の吊り下げ具は、引掛け部８を介して接続リング２１と接続しておき、作業者が作業を開始するときは、前記電動工具ｄを接続リング２１から離脱して作業をするものである。
【００４８】
そして、前記の作業時において、スライド体ｂを縮少するときは、前記引掛け部８を手指で押すと、スムーズにスライドして短くなる。
【００４９】
また、作業終了後、収納ケース等に入れるときも、前記のようにスライドさせる。
【図面の簡単な説明】
【００５０】
【図１】本発明の電動工具用吊り下げ具の使用状態を示す図である。
【００５１】
【図２】同吊り下げ具を電動工具にセットした状態を示す正面図である。
【００５２】
【図３】図２の状態からスライド体がスライドした状態の一部切欠正面図である。
【００５３】
【図４】同吊り下げ具のみを示す正面図である。
【００５４】
【図５】図４の状態から上下方脚部を抜出した状態の一部切欠正面図である。
【００５５】
【図６】同吊り下げ具の背面図である。
【００５６】
【図７】図６の状態からスプリングを離脱した状態の吊り下げ具の背面図である。
【符号の説明】
【００５７】
ａ      係止体
ｂ      スライド体
ｃ      後方接続体
ｄ      電動工具
ｅ      バネ体
１      モーター部
２      外周
３      係止部
４      上方脚部
５      下方脚部
６      締付け部
８      引掛け部
９      上方スライド脚部
１０    下方スライド脚部
１１    ストッパー
１２    ホースバンド
１３    一端部
１４    一端部
１５    上方脚挿入部
１６    下方脚挿入部
１７    上方挿入部
１８    下方挿入部
１９    ネジ
２０    接続片
２１    ボルト
２２    ナット
３１    係止端部
３２    係止端部
４０    左端部
４１    右端部
【図１】
2010110831.tif 000003
【図２】
2010110831.tif 000004
【図３】
2010110831.tif 000005
【図４】
2010110831.tif 000006
【図５】
2010110831.tif 000007
【図６】
2010110831.tif 000008
【図７】
2010110831.tif 000009
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
電動工具のモーター部の外周に嵌挿し且係止する折曲状係止部を一端部に形成し、前記折曲状係止部の夫々の端部を延設する並列状の上方脚部と下方脚部とを有し、且前記上方脚部と下方脚部の開閉を調節する締付け部とからなる係止体と、折曲状の引掛け部を有し、且前記引掛け部を延設して上方スライド脚部と下方スライド脚部を形成すると共に、前記両スライド脚部の先端部にストッパーを形成せしめるスライド体と、前記モーター部の外周を挿入し締付ける締付けるネジを有するホースバンドと、前記係止体の上方脚部と下方脚部との一端部を挿入するネジ付き上方脚挿入部とネジ付き下方脚挿入部と、前記スライド体の上方スライド脚部と下方スライド脚部の一端部がスライド自在な上方挿入部と下方挿入部とを一体に接着せしめる後方接続体とを形成し、前記後方接続体を前記ホースバンドに対し、直角状にして、且前記上方脚挿入部と下方脚挿入部の外側方にして、且平行状にして、前記後方接続体と前記ホースバンドとを止め具を介して一体に取着すると共に、前記後方接続体を構成する前記上方脚挿入部と前記下方脚挿入部のネジをゆるめて前記係止体と前記後方接続体とを分離し、電動工具のモーター部の外周の一端部の所定個所まで係止体の係止部をスライドしながら嵌挿し、且前記モーター部の外周の他端部の部位に前記ホースバンドを嵌挿し、前記上方脚挿入部と下方脚挿入部に脚部の端部を挿入し位置が確定したらネジを夫々締付けると共に前記後方接続体の上方挿入部と下方挿入部に前記上方スライド脚部と下方スライド脚部を挿入し、前記両スライド脚部の先端部に前記ストッパーを形成せしめることを特徴とする電動工具用吊り下げ具。
【請求項２】
前記係止部は、所定の部位にてカットされ、且カットによって形成の一方の係止端部と他方の係止端部を弾力性を有するバネ体の左端部と右端部に夫々嵌挿せしめることを特徴とする請求項１に記載の電動工具用吊り下げ具。
【手続補正２】
【補正対象書類名】明細書
【補正対象項目名】全文
【補正方法】変更
【補正の内容】
【発明の詳細な説明】
【技術分野】
【０００１】
本発明は、長さや大きさの異なる電動工具に取り付けて、作業者のベルトに吊り下げられる電動工具用吊り下げ具の技術分野に関するものである。
【背景技術】
【０００２】
従来、電動工具用吊り下げ具としては、電動工具のモーター部の側面に当接可能なサイド体が、当該サイド体の先端部で略直角に折曲されたリング状の先端係止部と、前記サイド体の後方で軸方向にスライド移動して長さ調節自在に取り付けられているスライド部材を備え、前記スライド部材の後方内部は、作業ベルトに吊り下げ自在な吊り下げ空所に形成されており、電動工具のモーター部の先端軸部に前記サイド体の先端係止部が係止され、前記モーター部の後端部より更に後方に前記スライド部材の吊り下げ空所が配置される位置で、スライド部材がサイド体に対し固定状態に構成されている電動工具用吊り下げ具が提案されている（例えば、下記特許文献１参照）。
【特許文献１】登録実用新案第３１３４８０８号公報
【発明の開示】
【発明が解決しようとする課題】
【０００３】
しかしながら、前記従来の構成では、吊り下げ具のスライド部材がサイド体に対し位置が決められて固定しスライドしない構成のため、ケース内に収納しても蓋がしまりにくいという課題を有していた。
【０００４】
また、前記従来の構成では、吊り下げ具をケース内に収納しても、スライド部材がスライドしない構成のため、ケース内に収納しても、他の作業工具類の収納を邪魔しケースの収納率を悪化するという課題を有していた。
【０００５】
さらに、前記従来の構成では、作業現場が極めて狭く飛出しているスライド部材が引掛るのでスライドさせて長さを縮少しようとしても、スライド部材がスライドしない構成のため、作業がしにくいという課題を有していた。
【０００６】
また、前記従来の構成は、電動工具のモーター部に係止部を嵌め込んでも係止部の径が限定した構成のため、径の異なる工具メーカーの製品に対応できないという課題を有していた。
【０００７】
本発明は、前記従来の課題を解決するもので、ケース内に収納しても蓋の閉りを阻害することなく、蓋をスムーズに閉じたり、また作業現場の広狭に対応せしめ作業をスムーズに行うことができる電動工具用吊り下げ具を提供することを目的とする。
【０００８】
さらに、本発明は、メーカーサイドによって径が異なる電動工具のモーター部でも、伸縮自在に大きさを調節して嵌挿することができる電動工具用吊り下げ具を提供することを目的とする。
【課題を解決するための手段】
【０００９】
課題を解決するための手段として、請求項１記載の発明は、電動工具ｄのモーター部１の外周２に嵌挿し且係止する折曲状係止部３を一端部に形成し、前記折曲状係止部３の夫々の端部を延設する並列状の上方脚部４と下方脚部５とを有し、且前記上方脚部４と下方脚部５の開閉を調節する締付け部６とからなる係止体ａと、折曲状の引掛け部８を有し、且前記引掛け部８を延設して上方スライド脚部９と下方スライド脚部１０を形成すると共に、前記両スライド脚部９、１０の先端部にストッパー１１、１１を形成せしめるスライド体ｂと、前記モーター部１の外周２を挿入し締付ける締付けるネジ２０ａを有するホースバンド１２と、前記係止体ａの上方脚部４と下方脚部５との一端部１３、１４を挿入するネジ１９付き上方脚挿入部１５とネジ１９付き下方脚挿入部１６と、前記スライド体ｂの上方スライド脚部９と下方スライド脚部１０の一端部がスライド自在な上方挿入部１７と下方挿入部１８とを一体に接着せしめる後方接続体ｃとを形成し、前記後方接続体ｃを前記ホースバンド１２に対し、直角状にして、且前記上方脚挿入部１５と下方脚挿入部１６の外側方にして、且平行状にして、前記後方接続体ｃと前記ホースバンド１２とを止め具１９ａを介して一体に取着すると共に、前記後方接続体ｃを構成する前記上方脚挿入部１５と前記下方脚挿入部１６のネジ１９をゆるめて前記係止体ａと前記後方接続体ｃとを分離し、電動工具ｄのモーター部１の外周２の一端部の所定個所まで係止体ａの係止部３をスライドしながら嵌挿し、且前記モーター部１の外周２の他端部の部位に前記ホースバンド１２を嵌挿し、前記上方脚挿入部１５と下方脚挿入部１６に脚部４、５の端部１３、１４を挿入し位置が確定したらネジ１９、１９、２０ａを夫々締付けると共に、前記後方接続体ｃの上方挿入部１７と下方挿入部１８に前記上方スライド脚部９と下方スライド脚部１０を挿入し、前記両スライド脚部９、１０の先端部に前記ストッパー１１、１１を形成せしめる電動工具用吊り下げ具である。
【００１０】
課題を解決するための手段として、請求項２記載の発明は、前記係止部は、所定の部位にてカットされ、且カットによって形成の一方の係止端部と他方の係止端部を弾力性を有するバネ体の左端部と右端部に夫々嵌挿せしめる電動工具用吊り下げ具である。
【発明の効果】
【００１１】
請求項１記載の発明は、電動工具のモーター部の外周に嵌挿し且係止する折曲状係止部を一端部に形成し、前記折曲状係止部の夫々の端部を延設する並列状の上方脚部と下方脚部とを有し、且前記上方脚部と下方脚部の開閉を調節する締付け部とからなる係止体と、折曲状の引掛け部を有し、且前記引掛け部を延設して上方スライド脚部と下方スライド脚部を形成すると共に、前記両スライド脚部の先端部にストッパーを形成せしめるスライド体と、前記モーター部の外周を挿入し締付ける締付けるネジを有するホースバンドと、前記係止体の上方脚部と下方脚部との一端部を挿入するネジ付き上方脚挿入部とネジ付き下方脚挿入部と、前記スライド体の上方スライド脚部と下方スライド脚部の一端部がスライド自在な上方挿入部と下方挿入部とを一体に接着せしめる後方接続体とを形成し、前記後方接続体を前記ホースバンドに対し、直角状にして、且前記上方脚挿入部と下方脚挿入部の外側方にして、且平行状にして、前記後方接続体と前記ホースバンドとを止め具を介して一体に取着すると共に、前記後方接続体を構成する前記上方脚挿入部と前記下方脚挿入部のネジをゆるめて前記係止体と前記後方接続体とを分離し、電動工具のモーター部の外周の一端部の所定個所まで係止体の係止部をスライドしながら嵌挿し、且前記モーター部の外周の他端部の部位に前記ホースバンドを嵌挿し、前記上方脚挿入部と下方脚挿入部に脚部の端部を挿入し位置が確定したらネジを夫々締付けると共に、前記後方接続体の上方挿入部と下方挿入部に前記上方スライド脚部と下方スライド脚部を挿入し、前記両スライド脚部の先端部に前記ストッパーを形成せしめるので、ケース内の収納時において前記スライド体をスライドして縮少し、蓋閉じがスムーズにできる利点がある。
【００１２】
さらに、本発明は、前記スライド体が伸縮自在にスライドができるので、作業現場の現況に応じてスムーズに作業をすることができると共に、作業能率を著しくアップせしめる利点を有している。
【００１３】
また、本発明は、前記係止部が、所定の部位にてカットされ、且カットによって形成の一方の係止端部と他方の係止端部とを弾力性を有するバネ体の左端部と右端部に夫々嵌挿せしめる電動工具用吊り下げ具なので、メーカーによって形状が異なる電動工具であっても、十分対応できる利点を有している。
【発明を実施するための最良の形態】
【００１４】
本発明の請求項１及び同２に記載の発明に関する実施の形態は以下のとおり説明する。
【００１５】
本発明の電動工具用吊り下げ具は、係止体ａとスライド体ｂと後方接続体ｃの３つの構成部材をもって構成されている。
【００１６】
先ず第１に前記係止体ａの実施の形態について説明する。
【００１７】
前記係止体ａは、通常線材を折曲し形成するが限定しない。この係止体ａは、所定の間隔を開けて形成の上方脚部４と下方脚部５とを平行状に形成する。そして前記上下方脚部４、５の一端部を通常直角状に折曲して、電動工具ｄのモーター部１の外周２に嵌挿し且係止する折曲状係止部３を形成する。
【００１８】
そして、前記係止部３の折曲基部の上下方脚部４、５に前記係止部３がモーター部１の外周２に嵌挿し引掛け固定するための締付け部６を設ける。
【００１９】
前記締付け部６の実施の形態を説明すると以下のとおりである。
【００２０】
前記締付け部６は、前記上方脚部４と前記下方脚部５の前方部に夫々孔付き接続片２０、２０を取着せしめ、且接続片２０、２０にボルト２１を挿通し、一方の接続片２０から飛出するボルト２１の端部にナット２２を螺着せしめる構成である。
【００２１】
前記ナット２２を正回転すれば、前記係止部３がモーター部１の外周２に締付ける。他方ナット２２を逆回転すれば前記係止部３が緩められる。
【００２２】
さらに、前記係止部３は、所定の部位にてカットし、カットによって形成された一方の係止端部３１と他方の係止端部３２を弾力性を有するバネ体ｅの左端部４０と右端部４１に夫々嵌挿せしめることができる。
【００２３】
前記バネ体ｅの両端部４０、４１に嵌挿する係止部３の係止端部３１、３２は、前記電動工具ｄのモーター部１の大きさに即応して前記バネ体ｅの両端部４０、４１の距離が長くなったり、短くなったりする。従ってメーカー毎に前記電動工具ｄのモーター部１が異なっていても、前記バネ体ｅによって十分対応できる。
【００２４】
つぎにスライド体ｂの実施の形態につき説明すると以下のとおりである。
【００２５】
このスライド体ｂは、後述する後方接続体ｃと接続する機構である。
【００２６】
前記スライド体ｂは、折曲状の引掛け部８を有し、且前記引掛け部８を延設して上方スライド脚部９と下方スライド脚部１０を形成する。
【００２７】
さらに、前記両スライド脚部９、１０の先端部には、夫々ストッパー１１、１１を形成せしめる。
【００２８】
そして前記両スライド脚部９、１０とストッパー１１、１１との関係は、図３、４、５に図示されているとおり、スライド体ｂの引掛け部８を前記係止体ａの係止部３の方向に押し込むと、モーター部１の一端部の方向に比例して縮小する。
【００２９】
他方前記引掛け部８を引張ると図１等の位置から飛出し、前記ストッパー１１、１１が後述する後方接続体ｃに引掛りストップする。
【００３０】
従って、前記スライド体ｂはスライド脚部９、１０の長さ分だけ伸縮する。
【００３１】
つぎに後方接続体ｃの実施の形態につき説明すると以下のとおりである。
【００３２】
１２は後方接続体ｃを構成する前記モーター部１の外周２を挿入し締付けるホースバンドである。そしてこのホースバンド１２と一体として接続し且前記ホースバンド１２に対し、直角状に前記係止体ａの上方脚部４と下方脚部５との一端部１３、１４を挿入するネジ１９付き上方脚挿入部１５とネジ１９付き下方脚挿入部１６とを図２、３等のように取着する。そして前記上方脚部１５と下方脚部１６とが平行状に取着される。
【００３３】
前記ネジ１９、１９は、前記上方脚部４と下方脚部５の端部１３、１４が前記脚部４、５が所定の長さ挿入した後、締付けて前記両脚部４、５が抜け出さないようにする。
【００３４】
さらに前記ホースバンド１２に対し、直角状にして、且前記上方脚挿入部１５と下方脚挿入部１６の外側方にして、且平行状にして、取着せしめた前記スライド体ｂの上方スライド脚部９と下方スライド脚部１０の一端部がスライド自在な上方挿入部１７と下方挿入部１８とを前記ホースバンド１２と前記上方脚挿入部１５と下方脚挿入部１６と一体に取着する（図２、３、４、５、６、７）。
【００３５】
２０ａは前記ホースバンド１２を締付けるネジである。
【００３６】
３０は作業ベルト５０に接続する接続リングである。
【００３７】
本発明は、図１のように引掛け部８と前記接続リング２１が接続される。
【００３８】
前記の構成からなる本発明の吊り下げ具は、図１、２、３に図示されるように、電動工具ｄのモーター部１の外周２の一端部の所定個所まで係止体ａの係止部３をスライドしながら嵌挿し、且前記モーター部１の外周２の他端部の部位に前記ホースバンド１２を嵌挿する。そして前記上方脚挿入部１５と下方脚挿入部１６に脚部４、５の端部１３、１４を挿入し位置が確定したらネジ１９、１９を夫々締付ける。
【００３９】
前記係止部３を構成するバネ体ｅの形状は、図面図示のように限定しない。
【００４０】
上記の構成からなる本発明の吊り下げ具は、引掛け部８を介して接続リング３０と接続しておき、作業者が作業を開始するときは、前記電動工具ｄを接続リング３０から離脱して作業をするものである。
【００４１】
そして、前記の作業時において、スライド体ｂを縮少するときは、前記引掛け部８を手指で押すと、スムーズにスライドして短くなる。
【００４２】
また、作業終了後、収納ケース等に入れるときも、前記のようにスライドさせる。
【図面の簡単な説明】
【００４３】
【図１】本発明の電動工具用吊り下げ具の使用状態を示す図である。
【００４４】
【図２】同吊り下げ具を電動工具にセットした状態を示す正面図である。
【００４５】
【図３】図２の状態からスライド体がスライドした状態の一部切欠正面図である。
【００４６】
【図４】同吊り下げ具のみを示す正面図である。
【００４７】
【図５】図４の状態から上下方脚部を抜出した状態の一部切欠正面図である。
【００４８】
【図６】同吊り下げ具の背面図である。
【００４９】
【図７】図６の状態からスプリングを離脱した状態の吊り下げ具の背面図である。
【符号の説明】
【００５０】
ａ      係止体
ｂ      スライド体
ｃ      後方接続体
ｄ      電動工具
ｅ      バネ体
１      モーター部
２      外周
３      係止部
４      上方脚部
５      下方脚部
６      締付け部
８      引掛け部
９      上方スライド脚部
１０    下方スライド脚部
１１    ストッパー
１２    ホースバンド
１３    一端部
１４    一端部
１５    上方脚挿入部
１６    下方脚挿入部
１７    上方挿入部
１８    下方挿入部
１９    ネジ
２０    接続片
２０ａ  ネジ
２１    ボルト
２２    ナット
３１    係止端部
３２    係止端部
４０    左端部
４１    右端部
【手続補正３】
【補正対象書類名】図面
【補正対象項目名】図１
【補正方法】変更
【補正の内容】
【図１】
2010110831.tif 000010
【手続補正４】
【補正対象書類名】図面
【補正対象項目名】図３
【補正方法】変更
【補正の内容】
【図３】
2010110831.tif 000011
【手続補正５】
【補正対象書類名】図面
【補正対象項目名】図４
【補正方法】変更
【補正の内容】
【図４】
2010110831.tif 000012